(57)【要約】【目的】複数のマグネットをマグネットホルダーを用いて所定位置に精度良く保持させた状態で、ステータコアの磁極に対向するようにヨークの内周面に接着できるようにするとともに、マグネットホルダーをヨーク内に脱落したり回動することがないように取り付ける。【構成】ステータコアの磁極に対向するようにヨークの内周面に複数のマグネットが、リブで仕切られたマグネットホルダーにより等間隔に保持されて接着される回転電機のロータにあって、軸方向に２分割されたマグネットホルダーの各ホルダー要素をつき合せたときにそれぞれ対向する一方のホルダー要素におけるリブ部と他方のホルダー要素におけるリブ部とが凹凸構造によって嵌合するようにしたうえで、各ホルダー要素におけるリング状部分の側面にバネ性をもったフック状の突起を設けて、その突起をヨークの内周面に設けた凹溝にはめ込むようにする。そして、ホルダー要素のリング状部分の下面に凸部を設けて、その凸部をヨークの基部に形成した穴にはめ込むようにする。【選択図】      図１
2006087280.tif 000002
【特許請求の範囲】
【請求項１】
ステータコアの磁極に対向するようにヨークの内周面に複数のマグネットが、リブで仕切られたマグネットホルダーにより等間隔に保持されて接着される回転電機のロータにあって、軸方向に２分割されたマグネットホルダーの各ホルダー要素をつき合せたときにそれぞれ対向する一方のホルダー要素におけるリブ部と他方のホルダー要素におけるリブ部とが凹凸構造によって嵌合するようにしたうえで、各ホルダー要素におけるリブ部が設けられる基部となるリング状部分の側面にバネ性をもったフック状の突起を設けて、その突起をヨークの内周面に設けた凹溝にはめ込むようにしたことを特徴とする回転電機のロータ。
【請求項２】
ホルダー要素におけるリング状部分の下面に凸部を設けて、その凸部をヨークの基部に形成した穴にはめ込むようにしたことを特徴とする請求項１の記載による回転電機のロータ。
【請求項３】
各ホルダー要素のリブ部に、凹構造のリブと凸構造のリブとが交互に配設されていることを特徴とする請求項１の記載による回転電機のロータ。
【発明の詳細な説明】
【技術分野】
【０００１】  本発明は、ステータコアの磁極に対向するように、ヨークの内周面に複数のマグネットがマグネットホルダーを介して等間隔に設けられる回転電機のロータに関する。
【背景技術】
【０００２】  従来、スタータコアの磁極に対向するように、笠形のヨーク（フライホイール）の内周面に複数のマグネットがマグネットホルダーにより等間隔に保持されて接着されるアウターロータ型の回転電機におけるロータにあっては、そのマグネットホルダーが軸方向に２分割された構造になっており、その分割された一方のホルダー要素をヨーク内に組み付け、ヨークの内周面に接着剤を塗布して、マグネットをその一方のホルダー要素を介してヨークの内周面に沿わせるように挿入して接着したうえで、マグネットを保護するマグネットカバーを装着して、他方のホルダー要素をかぶせるように組み付けるようにしている。【０００３】  各ホルダー要素には、それぞれ両者を組み付けたときにマグネットを周方向に等間隔に配するためのリブ部が設けられている。そして、両者を組み付けたときに、各対向するリブ部の先端が当接しないような寸法に設定されており、各ホルダー要素によってマグネットがヨーク内周面に押し付けられてスラスト方向の位置決めがなされるようになっている。【０００４】  そして、ヨーク先端の薄肉になっている部分をかしめて、ヨーク内部に複数のマグネットが配されたマグネットホルダーおよびマグネットカバーからなるユニットを固定したうえで、接着剤の加熱硬化を行わせる。その際、マグネットの接着強度およびマグネット面の位置精度の確保のために、治具を用いてマグネットをヨークの内周面に押し付けながら、加熱硬化を行わせるようにしている。
【発明の開示】
【発明が解決しようとする課題】
【０００５】  解決しようとする問題点は、従来のヨーク部の内周面に複数のマグネットがマグネットホルダーにより等間隔に保持されて接着される構造の回転電機のロータでは、マグネットの接着強度およびマグネット面の位置精度の確保のために、治具を用いてマグネットをヨークの内周面に押し付けながら接着剤の加熱硬化を行わせる必要があり、その作業が煩雑になっていることである。【０００６】  また、ヨーク先端の薄肉になっている部分をかしめることによって、複数のマグネットが保持されたマグネットホルダーおよびマグネットカバーからなるユニットをヨーク内に固定的に装着するようにしているが、その作業が煩雑になっていることである。
【課題を解決するための手段】
【０００７】  本発明は、ステータコアの磁極に対向するようにヨークの内周面に複数のマグネットが、リブで仕切られたマグネットホルダーにより等間隔に保持されて接着される回転電機のロータにあって、軸方向に２分割されたマグネットホルダーの各ホルダー要素をつき合せたときにそれぞれ対向する一方のホルダー要素におけるリブ部と他方のホルダー要素におけるリブ部とが凹凸構造によって嵌合するようにするとともに、各ホルダー要素におけるリブ部が設けられる基部となるリング状部分の側面にバネ性をもったフック状の突起を形成して、その突起をヨークの内周面に設けた凹溝にはめ込むようにしている。【０００８】  そして、本発明は、ホルダー要素におけるリング状部分の下面に凸部を設けて、その凸部をヨークの基部に設けた穴にはめ込むようにしている。
【発明の効果】
【０００９】  本発明によれば、複数のマグネットをマグネットホルダーを用いて所定位置に精度良く保持させた状態で、ステータコアの磁極に対向するようにヨークの内周面に接着できるとともに、何らヨークをかしめることなく、複数のマグネットが保持されたマグネットホルダーおよびマグネットカバーからなるユニットをヨーク内に脱落したり回動することがないように容易に取り付けることができるようになる。
【実施例１】
【００１０】  図１は、本発明によるアウターロータ型の回転電機、例えば、エンジンの始動時にはスタータとして駆動し、その始動後には発電機として駆動してバッテリの充電を行わせるマグネット式による車両用発電動機のロータを示している。【００１１】  ここでは、回転機（図示せず）に取り付けられる笠型のヨーク１の側部１２の内周面に、複数のマグネット２がマグネットホルダー３により等間隔に保持されて接着されている。【００１２】  マグネットホルダー３には、マグネット２を保護するためのマグネットカバー４が取り付けられており、組み付け時におけるマグネット２の割れや、その欠けた部分の飛散を防止し、また異物混入によってマグネット２が割れたりなどしないようにしている。【００１３】  マグネットホルダー３としては、図２に示すように、筒体の周面にマグネット２を保持するリブ５で仕切られた複数の空間６が形成され、軸方向に２分割された構造になっている。【００１４】  本発明では、その２分割されたホルダー要素３１，３２をつき合せたときに、それぞれ対向する一方のホルダー要素３１におけるリブ部５１と他方のホルダー要素３２におけるリブ部５２とが凹凸構造によって嵌合するようにしている。【００１５】  その際、特に本発明では、各ホルダー要素３１，３２におけるリブ部５１，５２にあって、凹構造のリブと凸構造のリブとを交互に配設するようにして、各ホルダー要素３１．３２の構造の共通化を図るようにしている（図４参照）。【００１６】  また、一方のホルダー要素３１におけるリブ部５１の先端に形成された凸状のリブの幅が他方のホルダー要素３２におけるリブ部５２の先端に形成された凹状のリブの溝幅よりも若干大きく設定することにより、両者を嵌合させたときに凹溝が外方に押し広げられてマグネット２をヨーク１の内周面に押し付けるようにしている。【００１７】  このように構成された回転電機のロータにあっては、その組付けに際して、ヨーク１の側部１２の内周面に接着剤を塗布したうえで、２分割された一方のホルダー要素３１をヨーク１内に組み込み、その上から複数のマグネット２をホルダー要素３１にはめ込んだうえで、マグネットカバー４を装着して、他方のホルダー要素３２のリブ部５２を一方のホルダー要素３１のリブ部５１につき合せるようにはめ込んで、接着剤の加熱硬化を行わせる。【００１８】  その際、ホルダー要素３１におけるリブ部５１の先端に形成された凸部がホルダー要素３２におけるリブ部５２の先端に形成された凹部に嵌合することにより、凹溝が外方に押し広げられてマグネット２をヨーク１の内周面に押し付けているので、従来のようにマグネット２をヨーク１の内周面に押し付けるための治具を何ら用いることなく、マグネット２の接着強度およびヨーク１の内周面に接着されるマグネット２の面の位置精度を確保できるようになる。【００１９】  このようなものにあって、特に本発明では、複数のマグネット２が保持されたマグネットホルダー３およびマグネットカバー４からなるユニットをヨーク１内に脱落したり回動することがないように固定的に取り付ける手段を講ずるようにしている。【００２０】  具体的には、複数のマグネット２が保持されたマグネットホルダー��およびマグネットカバー４からなるユニットがヨーク１内から脱落することがないように、図１ないし図５に示すように、各ホルダー要素３１，３２におけるリブ部５１，５２が設けられる基部となるリング状部分７の側面にバネ性をもったフック状の突起８を複数形成して、その突起８をヨーク１の側部内周面に設けた凹溝９にはめ込んでロック状態にするようにしている。【００２１】  そして、複数のマグネット２が保持されたマグネットホルダー３およびマグネットカバー４からなるユニットがヨーク１内で回動することがないように、図１、図２および図４に示すように、ホルダー要素３１（３２）におけるリング状部分７の下面に凸部１０を複数設けて、その凸部１０をヨーク１の基部１１に形成した穴１３にはめ込むようにしている。【００２２】  このような固定的な取り付け手段を講ずることにより、従来のようにヨーク先端の部分をかしめるようなことなく、複数のマグネット２が保持されたマグネットホルダー３およびマグネットカバー４からなるユニットをヨーク１内に収納させるだけで、そのユニットをヨーク１内に脱落したり回動したりすることがないように固定的に取り付けることができるようになる。
【産業上の利用可能性】
【００２３】  本発明によれば、ステータコアの磁極に対向するようにヨークの内周面に複数のマグネットが、リブで仕切られたマグネットホルダーにより等間隔に保持されて接着される回転電機のロータにあって、軸方向に２分割されたマグネットホルダーの各ホルダー要素をつき合せたときにそれぞれ対向する一方のホルダー要素におけるリブ部と他方のホルダー要素におけるリブ部とが凹凸構造によって嵌合するようにしているので、複数のマグネットを所定位置に精度良く保持させた状態でマグネットホルダーおよびマグネットカバーからなるユニットをヨーク内に装着することができ、その組付けを容易に行わせることができるという利点がある。【００２４】  そして、特に、各ホルダー要素のリング状部分の側面にバネ性をもったフック状の突起を形成して、その突起をヨークの内周面に設けた凹溝にはめ込み、また、ホルダー要素のリング状部分の下面に凸部を設けて、その凸部をヨークの基部に形成した穴にはめ込むようにしているので、複数のマグネットが保持されたマグネットホルダーおよびマグネットカバーからなるユニットを簡単にヨーク１内に固定的に取り付けることができるという利点を有している。
【図面の簡単な説明】
【００２５】
【図１】本発明による回転電機のロータの一構成例を示す側断面図である。
【図２】その構成例による回転電機のロータの分解斜視図である。
【図３】その構成例による回転電機のロータにおける２分割されたマグネットホルダーの一方のホルダー要素を示す平面図である。
【図４】そのホルダー要素の正面図である。
【図５】その構成例による回転電機のロータにおけるヨークの側断面図である。
【図６】そのヨークの平面図である。
【符号の説明】
【００２６】１  ヨーク
１１  ヨークの側部
１２  ヨークの基部
２  マグネット
３  マグネットホルダー
３１  ホルダー要素
３２  ホルダー要素
４  マグネットカバー
５  リブ
５１  リブ部
５２  リブ部
７  リング状部分
８  フック状の突起
９  凹溝
１０  凸部
１３  穴
【図１】
2006087280.tif 000003
【図２】
2006087280.tif 000004
【図３】
2006087280.tif 000005
【図４】
2006087280.tif 000006
【図５】
2006087280.tif 000007
【図６】
2006087280.tif 000008